(57)【要約】【課題】  着用中にズレを直す手間がないストラップレスブラジャーを提供する。【解決手段】  ストラップレスブラジャー１００は、左右一対のカップ部１０と、カップ部１０を前中心側で連結する前中心布２０と、カップ部１０の脇側に連結される左右一対のバック布３０とを備える。カップ部１０は、カップ形状を成すように立体成型等されている。カップ部１０は、カップ部の前中心側の縁部から下縁部を経て脇側の縁部に沿うように設けられたカップワイヤー部１１を有する。カップワイヤー部の前中心側上端１１ｃｔに、前中心布の連結部上端２０ｔは連結されている。カップワイヤー部の最下端１１ｂより上方に、前中心布の連結部下端２０ｂは連結されている。カップワイヤー部の脇側上端１１ｓｔより下方に、バック布の連結部上端３０ｔは連結されている。カップワイヤー部の最下端１１ｂより上方に、バック布の連結部下端３０ｂは連結されている。【選択図】図１
2005264373.tif 000002
【特許請求の範囲】
【請求項１】
左右一対のカップ部と、該一対のカップ部をその前中心側で連結する前中心布と、前記一対のカップ部の脇側に連結される左右一対のバック布とを備え、
前記カップ部は、カップ部の前中心側の縁部から下縁部を経て脇側の縁部に沿うように設けられた上方に向かって開くＵ字状のカップワイヤー部を有し、
前記カップワイヤー部の前中心側上端または前中心側上端より下方に、前中心布の連結部上端は連結され、
前記カップワイヤー部の最下端より上方に、前中心布の連結部下端は連結され、
前記カップワイヤー部の脇側上端より下方に、バック布の連結部上端は連結され、
前記カップワイヤー部の最下端より上方に、バック布の連結部下端は連結されていることを特徴とするストラップレスブラジャー。
【請求項２】
前記バック布は、カップワイヤー部に連結する側でY字状に分割されていることを特徴とする請求項１に記載のストラップレスブラジャー。
【請求項３】
前記カップワイヤー部の脇側上端と最下端との中間位置と、前記バック布の長手方向の中心線は交わるようにされていることを特徴とする請求項１または請求項２に記載のストラップレスブラジャー。
【請求項４】
前記前中心布の長手方向の中心線と、前記バック布の長手方向の中心線は一致するようにされていることを特徴とする請求項１ないし請求項３のいずれか１項に記載のストラップレスブラジャー。
【発明の詳細な説明】
【技術分野】
【０００１】
本発明はストラップレスブラジャーに関する。
【背景技術】
【０００２】
肩紐が取り付けていないストラップレスブラジャーは、肩が露出するタイプのアウターを着用した場合や、運動をする場合等に広く用いられている。
【０００３】
図４は、従来のストラップレスブラジャーの構造を示す正面図である。このようなストラップレスブラジャー５は、左右一対のカップ部１を、前中心側で前中心布２により連結・縫製し、脇側に左右一対のバック布３が連結・縫製されたものである。カップシルエットを維持するため、カップ部１には、カップ部の前中心側の縁部から下縁部を経て脇側の縁部に沿うようにＵ字状に湾曲したカップワイヤー部４が設けられる。
【０００４】
前中心布２はカップワイヤー部４に対応した幅を持つ。そして、カップワイヤー部の前中心側上端４ｃｔに前中心布の連結部上端２ｔが一致し、カップワイヤー部の最下端４ｂに前中心布の連結部下端２ｂが一致するようにされている。また、バック布３の連結部もカップワイヤー部４に対応した幅を有する。そしてカップワイヤー部の脇側上端４ｓｔにバック布の連結部上端３ｔが一致し、カップワイヤー部の最下端４ｂにバック布の連結部下端３ｂが一致するようにされている（例えば特許文献１の図１参照）。この場合、カップシルエットをさらに崩れにくくするため、カップワイヤー部をさらにカップの上縁部まで延長してＣ字状に設けたものや（例えば特許文献２の図１参照）、カップの全周縁にわたりリング状にカップワイヤー部を設けたものもある（例えば特許文献３の図４参照）。
【特許文献１】登録実用新案第３００１２０５号公報（図１）
【特許文献２】特開平９−３１７１０号公報（図１）
【特許文献３】特開昭５５−３６３３８号公報（図４）
【発明の開示】
【発明が解決しようとする課題】
【０００５】
一般的消費者のニーズは、軽い着け心地で、ズレ感がなく、カップがバストから浮いてしまうカップ浮きがなく、カップシルエットが崩れにくいストラップレスブラジャーが欲しいというものである。
【０００６】
しかしながら、バストは体の動きにより、その位置や形状が大きく変化する。図６（ａ）〜（ｅ）は、手を上げたためブラジャーにずれが生じる様子を示した説明図である。ストラップレスブラジャーは、図６（ａ）に示すような手を下げたときのバストの位置や形状に合わせて着用する（図６（ｂ））。ところが図６（ｃ）に示すように、運動等で手を上げた状態になると、乳頭は高くなり、両乳頭間の間隔は狭くなる。また、バージス形状は横長の楕円形から縦長の楕円形に変化する。そうすると、従来のストラップレスブラジャーは、バストの移動や形状の変化に充分な対応をすることができず（図６（ｄ））、カップの上辺がバストから浮いてしまう（図６（ｅ））。その結果、運動等で体を動かした場合には、充分なフィット感が得られないことになる。
【０００７】
図５は、従来のストラップレスブラジャーの着用時の動きを示す正面図である。図５に示すように、従来のストラップレスブラジャー５は、前中心布２、バック布３、およびカップワイヤー部４により土台・アンダーでしっかり安定させる構造で作られているため、バック布の緊締力Ｈがブラジャー全体にかかり、ブラジャーの上下方向の動きVは極めて制限されたものとなる。このように従来のストラップレスブラジャーは、運動時等のバストの移動に充分な対応ができないものであった。そのため、従来のストラップレスブラジャーは、着用中にしばしばズレを直す手間がかかるものであった。
【０００８】
本発明は、斯かる実情に鑑み、前述したような運動時等におけるブラジャーのズレをなくし、着用中にズレを直す手間がなく、バストシルエットを美しく保つ事ができるストラップレスブラジャーを提供しようとするものである。
【課題を解決するための手段】
【０００９】
本発明は、左右一対のカップ部と、一対のカップ部をその前中心側で連結する前中心布と、一対のカップ部の脇側に連結される左右一対のバック布とを備え、カップ部はカップ部の前中心側の縁部から下縁部を経て脇側の縁部に沿うように設けられた上方に向かって開くＵ字状のカップワイヤー部を有し、カップワイヤー部の前中心側上端または前中心側上端より下方に前中心布の連結部上端は連結され、カップワイヤー部の最下端より上方に前中心布の連結部下端は連結され、カップワイヤー部の脇側上端より下方にバック布の連結部上端は連結され、カップワイヤー部の最下端より上方にバック布の連結部下端は連結されていることを特徴とする。
【００１０】
上記の構成により、バック布の中心ラインと前中心布の中心ラインがほぼ一致することになり、バック布はカップワイヤー部の最下端部と脇側上端部との中間位置付近に連結されることになるので、この中心ラインを基点としてカップがバストの動きに追従することができる。その結果、着用者が運動等をしてもカップの浮きやズレがなく、バストシルエットを美しく保つことができる。
【００１１】
この場合、バック布は、カップワイヤー部に連結する側でY字状に分割されているものとすることができる。
このようにバック布が２本に分割されていても、本発明のブラジャーのズレを防ぐ作用・効果は維持される。
なお、このようにバック布が分割されてカップワイヤー部に連結されている場合の上記「連結部上端」とは、分割されたバック布の連結部のうち、最も上にあるものの上端を意味する。また、上記「連結部下端」とは、分割されたバック布の連結部のうち、最も下にあるものの下端を意味する。
【００１２】
この場合、カップワイヤー部の脇側上端と最下端との中間位置とバック布の長手方向の中心線は交わるようにされていることが好ましい。
上記の構成によれば、カップワイヤー部の脇側の中間位置にバック布が連結されるため、ブラジャーは、カップがバストの動きに追従しつつバランス良く確実にバストを保持できるものとなる。
【００１３】
また、前中心布の長手方向の中心線とバック布の長手方向の中心線は一致するようにされていることが好ましい。
上記の構成によれば、前中心布、カップワイヤー部、バック布の中心線が完全に一致するため、この中心線を基点としてカップがバストの動きに追従する作用はより一層発揮される。
【発明の効果】
【００１４】
本発明のストラップレスブラジャーによれば、着用者が運動等をしても着用中にズレて直す手間がかからず、バストシルエットを美しく保つことができるという優れた効果を奏し得る。
【発明を実施するための最良の形態】
【００１５】
以下、本発明の実施の形態について添付図面を参照して説明する。
図１は、本発明の第１実施形態に係るストラップレスブラジャーの構造の特徴を示す正面図である。図１に示すように本実施形態に係るストラップレスブラジャー１００は、左右一対のカップ部１０と、カップ部１０をその前中心側で連結する前中心布２０と、カップ部１０の脇側に連結される左右一対のバック布３０とを備える。
【００１６】
カップ部１０は、カップ形状を成すように立体成型等されている。さらに具体的にはカップ部１０は、バストを下から保持する下カップ部１０Ｂとバストを上から覆う上カップ部１０Ｔとが接合・縫製されてなる。これにより、カップ部形状の維持およびカップ部作製の便宜が図られる。
保形性を高めバストシルエットを維持するため、カップ部１０は、カップ部の前中心側の縁部から下縁部を経て脇側の縁部に沿うように湾曲して設けられた上方に向かって開くＵ字状のカップワイヤー部１１を有する。カップワイヤー部１１は内部に形状記憶合金あるいは樹脂製のカップワイヤーを内蔵する（図示せず）。カップワイヤー部１１の形状は、線対称なＵ字形状をなし、Ｕ字上方の開き幅に対するＵ字の深さの比は０．５〜０．７であり、さらに好ましくは０．５５〜０．６５とされ、着用時にバストを安定して保持できるようにされている。
またカップ部１０は、カップの両サイドに３次元ボーン１２を有する。３次元ボーン１２は、形状記憶合金、樹脂等から成る細く薄い板状であり、所定の湾曲、ひねり、屈曲を加えられており、着用したときの保形性とフィット感を高めるようにされている。
【００１７】
前中心布２０は、従来のものより幅が狭いものとされている。従来と同様に、カップワイヤー部の前中心側上端１１ｃｔに一致するように、前中心布の連結部上端２０ｔは連結・縫製されている。しかし前中心布２０の幅が狭いため、カップワイヤー部の最下端１１ｂより上方に、前中心布の連結部下端２０ｂは連結・縫製されている。なお、この場合、カップワイヤー部の前中心側上端１１ｃｔより下方に、前中心布の連結部上端２０ｔが連結されていても良い。カップワイヤー部の前中心側上端１１ｃｔと最下端１１ｂとの距離に対する、前中心布の連結部上端２０ｔと連結部下端２０ｂとの距離の比は、０．２〜０．５であり、さらに好ましくは０．３０〜０．４０とされ、着用時にブラジャーがバストを安定して保持しつつ、バストの移動に追随できるようにされている。前中心布２０は、上縁および下縁にゴム帯が埋設され（図示せず）、伸縮自在とされる。前中心布２０は、上下２つ、あるいはそれ以上に分割されていても良い。また、フロントホック型として着脱の便宜を図る場合には、前中心布２０は左右に分割自在とされ、分割部はホック等で着脱自在とされる。
【００１８】
バック布３０も、従来のものより幅が狭いものとされている。そのため、カップワイヤー部の脇側上端１１ｓｔより下方に、バック布の連結部上端３０ｔは連結・縫製されている。また、カップワイヤー部の最下端１１ｂより上方に、バック布の連結部下端３０ｂは連結・縫製されている。カップワイヤー部の脇側上端１１ｓｔと最下端１１ｂとの距離に対する、バック布の連結部上端３０ｔと連結部下端３０ｂとの距離の比は、０．３０〜０．６０であり、さらに好ましくは０．４０〜０．５０とされ、着用時にブラジャーがバストを安定して保持しつつ、バストの移動に追随できるようにされている。
着け易さ及び着け心地の観点から、バック布３０は、カップワイヤー部１１との連結部からもう一方の端に至るにつれて幅が狭くなるテーパ状である。バック布３０の連結部の幅に対する、バック布３０のもう一方の端の幅の比は０．５〜０．７とされる。バック布３０は、上縁および下縁にゴム帯が埋設され（図示せず）、伸縮自在とされる。左右のバック布３０の端にはホック５０が設けられ、着用時には着用者が背中にまわしたバック布３０のホック５０を互いに係合させて着用するようにされている。ホック５０は２段階あるいはそれ以上の段階に設けられ、バック布３０の長さを調整できるようにされている。
【００１９】
上記のようにして前中心布２０、カップワイヤー部１１、バック布３０が連結されることにより、前中心布２０の長手方向の中心線と、前記バック布３０の長手方向の中心線は一致し、カップワイヤー部の脇側上端１１ｓｔと最下端１１ｂとの中間位置と、バック布３０の長手方向の中心線は交わるようにされている。このため、前中心布２０、カップワイヤー部１１、バック布３０の中心線は、中心線ＣＬで一致するようにされている。
なお、バック布３０は、カップワイヤー部の脇側上端１１ｓｔと最下端１１ｂとの中間位置から、下方にやや角度をつけて連結される場合もある。
また、上カップ部１０Ｔと下カップ部１０Ｂとの合わせ目は、前中心布側で前中心布２０の中心線ＣＬと一致し、脇側でバック布の連結部上端３０ｔと一致するようにされている。その結果、左右一対のカップワイヤー部１１は、互いに前中心側に傾斜したＵ字状をなし、着け心地の向上とバストアップ効果の向上が図られる。
【００２０】
次に図２を参照して、本実施形態のストラップレスブラジャーの機能について説明する。図２（ａ）は第１実施形態に係るストラップレスブラジャーの着用時の動きを示す正面図であり、図２（ｂ）は側面図であり、図２（ｃ）はカップ部における３次元ボーンの働きを示す説明図である。
【００２１】
図２（ａ）（ｂ）に示すように、本実施形態に係るストラップレスブラジャー１００は、バック布３０の中心線と、前中心布２０の中心線が一致する。また、バック布３０は、カップワイヤー部の最下端部１１ｂと脇側上端部１１ｓｔの中間位置に連結されることになる。そのためバック布の緊締力Ｈは、この中心線ＣＬを中心とした幅の狭いバック布３０の部分に均等にかかる。一方、カップ部１０の上部と下部はフリー状態であり、かなりの自由度で動くことができる。その結果、この中央線ＣＬを基点（軸）として、ブラジャーは大きな上下方向の動きＶを許容され、カップがバストの動きや形状の変化に追従するという作用を奏する。
【００２２】
なお、図２（ｃ）に示すように、着用中は、３次元ボーン１２が乳房を両側から挟み込んで支えるので、着用者が動いてもカップ部１０が崩れず、ぴったりとフィットするという作用を奏する。
【００２３】
以上の作用により、本実施形態のストラップレスブラジャーは、着用者が運動等をしても着用中にズレを生じることがないため、ズレを直す手間がかからず、一日中バストシルエットを美しく保つことができる。
【００２４】
図３は、本発明の第２実施形態に係るストラップレスブラジャーの構造の特徴を示す正面図である。この第２実施形態のストラップレスブラジャーが第１実施形態と異なる点は、バック布が、カップワイヤー部に連結する側でY字状に分割されていることにある。
【００２５】
図３に示すように、本実施形態に係るストラップレスブラジャー２００のバック布３０’は、カップワイヤー部１１に連結する側でＹ字状に分割されている点で、第１実施形態と相違をなす。Y字状の分岐の角度は、５°〜４５°であり、より好ましくは１０°〜２０°とされる。第１実施形態と同様に、カップワイヤー部の脇側上端１１ｓｔより下方に、分割されたバック布の連結部上端３０ｔ’は連結され、カップワイヤー部の最下端１１ｂより上方に、分割されたバック布の連結部下端３０ｂ’は連結されている。そして、カップワイヤー部の脇側上端１１ｓｔと最下端１１ｂとの中間位置と、バック布３０’の長手方向の中心線は交わるようにされている。また、前中心布２０のカップワイヤー部への連結箇所や、バック布３０’との中心線の関係は、第１実施形態に係るストラップレスブラジャー１００と同様とされている。そのため、本実施形態においても前述の第１実施形態と同様の作用が発揮され、カップ部１０がバストの動きに対応して上下動でき、着用中のズレによる不具合を軽減できる。
【実施例１】
【００２６】
図１に示すような本実施形態に係るストラップレスブラジャーと図４に示すような従来型のストラップレスブラジャーを、１０人の被験者（モニター）に着用してもらい、その着用感を比較した。着用感の評価は、「カップのフィット感」「ワイヤーのフィット感」「アンダーのきつさ・ゆるさ感」「造形感（シルエット）」「動いた時の安定感」「肌触り感」の６項目について５段階で評価した。評価「１」は不満であり、数が大きいほど評価は高く、評価「５」は満足を意味する。各項目の評点は１０人の被験者の平均値とした。図７に着用感比較の評価を示す。図７より、ほぼ全ての項目について、本実施形態に係るストラップレスブラジャーの評価が高いことが判る。特に、「動いたときの安定感」の項目については、本実施形態のブラジャーが評点４．６であるのに対し、従来品は評点２．８とかなりの相違が見られた。また、着用感について「動いたときの安定感」「ズレ感が少ない」の２項目について、いずれのブラジャーが優れるかを上記１０人の被験者に調査した。結果を表１に示す。
【表１】
2005264373.tif 000003
【００２７】
表１より、「動いたときの安定感」「ズレ感が少ない」のいずれの項目についても、ほとんどの被験者が本実施形態に係るブラジャーの方に高い評価を与えていることが判る。
【００２８】
尚、本発明のストラップレスブラジャーは、上記した実施の形態に限定されるものではなく、本発明の要旨を逸脱しない範囲内において種々変更を加え得ることは勿論である。
例えば、本発明のストラップレスブラジャーは、下着に特に好適であるが、適用範囲はこれに限定されず、ストラップレスであってトップとボトムがセパレートされた水着等のカップ付き女性用衣類にも適用可能なものである。
【図面の簡単な説明】
【００２９】
【図１】第１実施形態に係るストラップレスブラジャーの構造の特徴を示す正面図である。
【図２】（ａ）は第１実施形態に係るストラップレスブラジャーの着用時の動きを示す正面図であり、（ｂ）は側面図であり、（ｃ）はカップ部における３次元ボーンの働きを示す説明図である。
【図３】第２実施形態に係るストラップレスブラジャーの構造の特徴を示す正面図である。
【図４】従来のストラップレスブラジャーの構造を示す正面図である。
【図５】従来のストラップレスブラジャーの着用時の動きを示す正面図である。
【図６】（ａ）〜（ｅ）は、手を上げたためブラジャーにずれが生じる様子を示した説明図である。
【図７】実施例におけるストラップレスブラジャーの着用感比較の結果を示すグラフ図である。
【符号の説明】
【００３０】
１…カップ部
２…前中心布
２ｔ…前中心布の連結部上端
２ｂ…前中心布の連結部下端
３…バック布
３ｔ…バック布の連結部上端
３ｂ…バック布の連結部下端
４…カップワイヤー部
４ｃｔ…カップワイヤー部の前中心側上端
４ｓｔ…カップワイヤー部の脇側上端
４ｂ…カップワイヤー部の最下端
５…ストラップレスブラジャー
１０…カップ部
１０Ｔ…上カップ部
１０Ｂ…下カップ部
１１…カップワイヤー部
１１ｃｔ…カップワイヤー部の前中心側上端
１１ｓｔ…カップワイヤー部の脇側上端
１１ｂ…カップワイヤー部の最下端
１２…３次元ボーン
２０…前中心布
２０ｔ…前中心布の連結部上端
２０ｂ…前中心布の連結部下端
３０，３０’…バック布
３０ｔ，３０ｔ’…バック布の連結部上端
３０ｂ，３０ｂ’…バック布の連結部下端
５０…ホック
１００，２００…ストラップレスブラジャー
Ｈ…バック布の緊締力
Ｖ…上下方向の動き
ＣＬ…中心線
【図１】
2005264373.tif 000004
【図２】
2005264373.tif 000005
【図３】
2005264373.tif 000006
【図４】
2005264373.tif 000007
【図５】
2005264373.tif 000008
【図６】
2005264373.tif 000009
【図７】
2005264373.tif 000010